(57)【要約】この発明の反射器付きランプは、凹面の反射部を具える１個の反射器本体と、少なくとも１個の先端部を持つランプ容器と、密閉されたランプ容器内に配置された電気発光要素と、前記先端部から電気発光要素に伸びている導電線とからなる電気ランプと、支持体を前記反射器本体に固着し支持させるための反射器本体固着手段と、支持体を前記ランプ容器の先端部に固着し支持させるための機械的固着手段と、支持体をランプハウジング内に固着し支持させるためのハウジング固着手段とを具える支持体とからなる。
2004515899.tif 000002
【特許請求の範囲】
【請求項１】
凹面反射部を具える１個の反射器本体と、
少なくとも１個の先端部を持つランプ容器と、密閉されたランプ容器内に配置された電気発光要素と、前記先端部から電気発光要素に伸びている導電線とからなる電気ランプと、
支持体を前記反射器本体に固着し支持させるための反射器本体固着手段と、支持体を前記ランプ容器の先端部に固着し支持させるための機械的固着手段と、支持体をランプハウジング内に固着し支持させるためのハウジング固着手段とを具える支持体と、からなる反射器付きランプ。
【請求項２】
前記支持体は、反射器本体の凹面反射部に固着し支持している、請求項１に記載の反射器付きランプ。
【請求項３】
支持体は反射器本体を実質的に包囲し、反射器本体固着手段は、反射器本体を軸方向に支持するよう反射器の先端面上に付き合わされる１個又は数個の付き合せフランジと、支持体に連結された一連の弾性タグとから構成され、該タグは反射器本体に係合し、該反射器本体は付き合せフランジによって付勢される、請求項１又は２に記載の反射器付きランプ。
【請求項４】
反射器本体固着手段は実質的に等間隔に配置された３個の弾性タグからなる、請求項３に記載の反射器付きランプ。
【請求項５】
反射器本体固着手段は、支持体を反射器本体に対して係合させる１個又は数個の接線方向弾性体を付加的に具える、請求項３又は４に記載の反射器付きランプ。
【請求項６】
前記接線方向弾性体は反射器本体の端面に当接するようにした、請求項１乃至５の内１項に記載の反射器付きランプ。
【請求項７】
前記ハウジング固着手段は、支持体をランプハウジング内に支持する一連の弾性タグからなる、請求項１乃至６の内１項に記載の反射器付きランプ。
【請求項８】
前記弾性タグの先端は、溶接手段または接着剤を用いてランプハウジング内面に固着し支持される、請求項７に記載の反射器付きランプ。
【請求項９】
前記支持体は１枚の金属板から形成される、請求項１乃至８の内１項に記載の反射器付きランプ。
【請求項１０】
凹面の反射部を具える１個の反射器本体と、
少なくとも１個の先端部を持つランプ容器と、密閉されたランプ容器内に配置された電気発光要素と、前記先端部から電気発光要素に伸びている導電線とからなる電気ランプとからなり、
反射器本体の凹面には開口が形成され、該開口がランプの第一先端部を挿通させるために用いられ、該先端部は前記開口の周囲の反射器本体に配置される支持体の機械的固着手段によって固着し支持される、請求項１乃至９の内１項に記載の反射器付きランプ。
【請求項１１】
前記機械的固着手段は、ランプ容器の第１先端部を前記開口内又はその直上で係合するようにした、請求項１０に記載の反射器付きランプ。
【請求項１２】
前記機械的固着手段は、ランプ容器を位置調節し，適正位置で固着させる手段を具える、請求項１１に記載の反射器付きランプ。
【請求項１３】
前記機械的固着手段はバネキャップを具える、請求項１０乃至１２の内１項に記載の反射器付きランプ。
【請求項１４】
前記機械的固着手段はランプ容器先端部に締着される１個のクランプと、該クランプに係合する一連の弾性タグを具える、請求項１０乃至１２の内１項に記載の反射器付きランプ。
【請求項１５】
１個のランプハウジングと、
該ランプハウジング内に配置された制御手段と、
前記ランプハウジング内に配置され前記制御手段に連結された１個又は複数個の，請求項１乃至１４の内１項に記載の反射器付きランプと、
を具える装置
【請求項１６】
支持体を反射器本体に係合することと、
ランプ容器の先端部を支持体に係合することと、
支持体をランプハウジング内に固着させることと
固着させた状態でランプの位置調節をすることとを含む、請求項１５に記載の反射器付きランプの組立方法。
【発明の詳細な説明】
【０００１】
（発明の属する技術分野）
この発明は、凹面の反射部を具える反射器と、少なくとも１個の先端部分を持つ密閉されたランプ容器と、このランプ容器内に配置された電気要素と、この先端部分を通して電気要素に延びる導線とからなる電気ランプとを具える、反射器付きランプに関する。この発明はまた、反射器付きランプが収納されるランプハウジングと、このランプを制御する制御器との組立体、及びこれらを組立てる方法に関する。
【０００２】
（従来の技術）
ランプを反射器内に設置した後、これを反射器の凹面の基部に接着剤（セメント）で固着し支持する形式の反射器付きランプは、既に知られている。この種のランプの欠点は、接着剤が、ランプの反射器内で位置調節される期間より長く、両者を固定していることである。また他の欠点は、このような薬剤を用いた接着の結果、薬剤の蒸気が反射器の反射面に吸収されて、高湿度中で使用される反射ランプの反射の妨げになることである。
【０００３】
さらに、ランプ容器が反射器の基部に、機械的固着手段によって固着し支持される形式の反射器付きランプも既知である。この種の固着構造は、例えば欧州特許出願第１０５５８７３Ａ２（未公開）明細書に記載されている。
【０００４】
（発明が解決しようとする課題）
このような既知の反射器付きランプの欠点は、ランプがランプ容器内で別個の固着手段によって固着し支持される前に、ランプの位置調節が行われることに起因している。このことは、ランプが設置された後では不十分な位置調節しかなされないことを意味する。それに加えて、上記のような位置調節は、比較的複雑である。この発明は、上記のような欠点を解消した、改良された反射器付きランプを得ることを目的とする。
【０００５】
（課題を解決するための手段）
第１実施態様によれば、この発明の反射器付きランプは、反射器本体を固着し支持させるための反射器本体固着手段を有する支持体と、この支持体をランプ容器の先端部分に固着し支持するための機械的ランプ容器固着手段と、支持体をランプハウジング内に固着し支持させるハウジング固着手段とからなる。これにより一つのランプと反射器本体固着手段の複合体が形成され、その結果、ランプはハウジング内に配置される時、適切に位置調節がなされる。それに加えて、必要な構成要素の数が減少し、より簡単な構成となっている。
【０００６】
この発明の好ましい実施例では、支持体は実質的に反射器本体の周縁部を包囲するように構成され、反射器本体固着手段は、反射器本体を軸方向に支持するよう反射器の先端面上に付き合わされる１個又は数個の付き合せフランジと、支持体に連結された一連の弾性タグとから構成され、このタグは反射器本体に係合し、この反射器本体は付き合せフランジによって付勢される。このように構造が簡単である利点を有する外に、この反射器本体の位置調節機能は、この実施例において保持される。
【０００７】
反射器本体固着手段は、好ましくは等間隔に配置された３個の弾性タグにより構成され、これにより支持体内の反射器本体の中心位置調節は促進される。さらに改良された、反射器本体の中心位置調節機能を達成するために、支持体を反射器本体に係止するための、１個又は数個の接線方向弾性体が反射器本体固着手段に付加される。
【０００８】
一つの好ましい実施例では、反射器本体固着手段は、その支持体（及び反射器本体とその中に固着し支持されるランプ容器）をランプハウジング内に係合するために、一連の外向きの弾性タグを具える。この弾性タグの先端は、溶接手段または接着剤を用いてランプハウジング内面に固着し支持される。他の好ましい実施例では、支持体そのものがランプハウジング内にクランプ止めされるか、または接着剤又は溶接手段で直接固着し支持されることも可能である。
【０００９】
この発明の他の実施態様では、前述した反射器付きランプは、
−  凹面の反射部を具える１個の反射器本体と、
−  先端部と反対側の先端部とを持つ密閉されたランプ容器と、ランプ容器内に配置された電気発光要素と、前記先端部から電気発光要素に伸びている導電線とからなる電気ランプと
からなり、前記反射器本体の凹面には開口が形成され、該開口がランプの第一先端部を挿通させるために用いられ、該先端部は前記開口の周囲の反射器本体に配置される支持体の機械的固着手段によって固着し支持される。この機械的固着手段は前記開口の内部またはその直上でランプの第一先端部に係合している。
【００１０】
（発明の効果）
このように反射器本体にネックを形成しないでランプを係合させることは、ランプ（バーナー）をより焦点近くに配置することができるので、ランプのより安定した位置調節を可能にする。他方、反射器本体は前記開口周辺に容器を収納することができるので、そのための変形をより少なくすることができ、これにより反射器の光ビームの性能を高め、またより簡単な構成で、製造単価の低減にも資する。それに加えて、製造部品点数が少なくなり、組立作業がより簡便になる。
【００１１】
好ましくは、支持体の機械的固着手段はランプ容器を反射器本体内に適正に配置し、それを適正な状態に保持するように構成される。この構成はランプ容器の位置調節手段を具える。
【００１２】
ランプの電気的発光要素は、可能であれば不活性ガスを封入した発光体、又はイオン性媒体、例えば稀ガス、稀ガスと水銀蒸気及び／又はソジウム内に配置され、使用中は高圧放電が維持される一対の電極からなる。
【００１３】
この発明のこれ以上の利点ないしは特性は、以下に詳述するこの発明の好ましい実施例において説明がなされる。
【００１４】
図１は例えば自動車工業で用いられる、光ファイバケーブルｆに光束を伝送する光発生器を示している。これに替わる実施例として、例えば、反射器ランプは投影テレビジョン（ビーマー）内で用いられる。
【００１５】
図示された実施例では、光ファイバケーブルｆはカップリング１を介してランプハウジング２に連結される。凹面反射器本体３がランプハウジング２内に形成され、反射器本体の内面は、例えばアルミ又は銀等の金属からなる反射コーティングがほどこされる。ランプ４は導電線５，６に結線され、固着手段７によりランプハウジング２内に固着し支持される。ランプ４は既知の方法で、スタータ９、エラーデテクタ１０、その他の電子部品又はバラスト８によって制御される。この装置全体はコード１１により電源（図示せず）に接続されている。
【００１６】
図２、３及び４は反射器付きランプ１２の一つの好ましい実施例を示している。電気ランプ１５は凹面反射器本体１３と、この本体の頂部に形成された開口１４とからなる。ランプ容器の第一の先端部１８は前記開口１４を通って外側に伸び、この反対側の第２の先端部１６は、実質的に反射器本体１３の左右対称軸又は光軸上に位置している。電気要素１７がこのランプ容器内に配置され、導電線１９，２０が第一の先端部１８と第２の先端部１６内から電気要素１７に伸びる。この導電線１９，２０は夫々遮蔽スリーブ２１，２２とを備え，夫々反射器本体１３の開口１３内を通るように配置される。
【００１７】
支持体２３は好ましくは金属板により形成され，ランプ容器を反射器本体に、また反射器本体をもし有ればランプハウジングに取付けるための、複合的な締着具となる。この支持体は上側壁面２４を備え，その上側壁面に懸吊壁面２５が締着される。この懸吊壁面２５の下側側面に数個のタグ２６が形成され、これらのタグは夫々下端部が折り曲げられ、反射器本体１３の先端面２８をそれら付き合せ折曲フランジ２７の上に載せて支持する。
【００１８】
懸吊壁面２５には合計８個の切欠き開口が形成され、それらの内４個の切欠き弾性タグ３０は支持体２３を反射器本体１３に締着するために用いられ、他の４個の弾性タグは支持体２３をランプハウジング（図示せず）に締着するために用いられる。
【００１９】
図４の断面図では、１個の弾性タグ３０が部分３１で支持体から外側放射状に伸び、曲部３２を経て放射状内側に伸びてタグ部３４に連結している様子を示している。この構成は、夫々のタグ部３４が支持体内で、タグ２６の付き合せ折曲フランジ２７に対して反射器本体１３を下方向（矢印で示す方向）に押圧し締着するようにされていることを示している。その結果、反射器本体１３は支持体内に締着される。
【００２０】
好ましくは、金属製の帯４０がタグ２６の周りに嵌められ、この帯４０には数個所に弾性部４１が設けられる。弾性部４１のバネ力がタグ２６を内側に向けて付勢し、付き合せ折曲フランジ２７が、正確に反射器本体１３の先端面２８の下側に位置するようにする。この構成はとりわけ、金属製支持体２３と反射器本体１３を下側で密閉するカバーガラス２９の熱膨張率の違いに関して，大きな意味を持つ。この、ガラスとそれを取巻く金属部分との熱膨張率の違いは帯４０内で補償され、それに従ってタグ２６には、適度のバイアス力が掛かる。
【００２１】
それに加えて、上に述べたタグ２６、３０の一連の構成は、金属製帯４０との組合わせ如何に関係なく、反射器本体１３を支持体２３の中心位置に正確に保持する作用をする。
【００２２】
支持体２３をランプハウジングに締着させるために、一連の弾性タグ４２が支持体２３に設けられる。これらのタグは実施例で示すように、断面Ｓ字状を呈している。これらのタグは、使用されるランプハウジングの形状に応じて種々の形状又は構造を具えることができる。
【００２３】
支持体２３の壁面の内、反射器を締着していない側には弾性タグ４２が設けられ、支持体をランプハウジング内に締着させることができる。ある種の実施態様では、タグ４２は溶接又は接着によりランプハウジングに実質的に固着し支持させる。
【００２４】
ランプ容器先端部１８を支持体２３の上側壁面２４に機械的に固着し支持させるには、種々の方策がある。図示の実施例では、１枚の板体２５が上側壁面２４上に固着し支持され、この板体４５には、ランプ容器先端部１８と導電線２２とを夫々通すための、２個の開口が設けられる。４個の弾性舌片４６が板体４５の面から上向きに切り起こされる。図示されない他の実施例では、この板体４５が省略され、これら舌片は支持体２３の上側壁面２４から直接切り起こされる。
【００２５】
１個のクランプ４３がランプ容器先端部１８に締着される。このクランプ４３は先端部の軸から放射方向に伸びる３個の突出片４４を備え、この突出片はそれぞれ弾性舌片４６に対向している。これら突出片４４は夫々、隣接する舌片４６の上端部を囲む凹所が設けられる。ランプ容器の、図示Ｚ方向の最適位置はクランプ４３がランプ容器先端部１８に対して正確な位置調節をすることにより達成される。それに加えて、ランプ容器のＸＹ方向の位置は，舌片４６を適宜曲げることによって決められる。ランプは、上述した機械的構成により、簡単な方法で位置調節ができる。
【００２６】
最初にランプを位置調節し，その後で板体４５を支持体２３の上側壁面２４の適正位置に溶接固定してランプを板体に固着し支持させるようにすることも、また可能である。
【００２７】
前述した構成のほかにも、種々の代替手段が可能である。ランプ容器を反射器本体１３又は支持体２３にバネキャップを用いて固着し支持することも可能である。この実施例はより少ない部品で構成される利点がある。
【００２８】
この発明により、反射器を機械的に固定させる際に、通常起こる隘路が解消した。この隘路の除去により、ランプ本体を焦点のより短い距離内に固着し支持することができるようになり、この締着をより安定的に行うことができるようになっている。
【図面の簡単な説明】
【図１】反射器付きランプとその制御機構を，ランプハウジングとともに示した模式図である。
【図２】この発明によるランプの一実施例の見取り図である。
【図３】図２で示すこの発明の実施例の底部を示す見取り図である。
【図４】図２及び３に示すこの発明の実施例の断面図である。
【図１】
2004515899.tif 000003
【図２】
2004515899.tif 000004
【図３】
2004515899.tif 000005
【図４】
2004515899.tif 000006
【国際公開パンフレット】
2004515899.tif 000007
2004515899.tif 000008
2004515899.tif 000009
2004515899.tif 000010
2004515899.tif 000011
2004515899.tif 000012
2004515899.tif 000013
2004515899.tif 000014
2004515899.tif 000015
2004515899.tif 000016
2004515899.tif 000017
2004515899.tif 000018
2004515899.tif 000019
2004515899.tif 000020
【国際調査報告】
2004515899.tif 000021
2004515899.tif 000022
2004515899.tif 000023